(57)【要約】【課題】ＨＤＭＩ接続される外部機器とともにＡＶシステムを構成するＨＤＭＩ機器であって、ＡＶシステム全体の出力画像及び出力音声の画質及び音質の向上を図ることができるＨＤＭＩ機器を提供する。【解決手段】外部機器（２００）の出力画像及び出力音声の画質及び音質に関連する信号処理の性能特性に関する情報をＣＥＣコマンド受信により前記外部機器から取得する情報取得部と、内部メモリが記憶している自己の出力画像及び出力音声の画質及び音質に関連する信号処理の性能特性に関する情報と、前記情報取得部が取得した前記外部機器の出力画像及び出力音声の画質及び音質に関連する信号処理の性能特性に関する情報とに基づいて、自己の出力画像及び出力音声の画質及び音質に関連する信号処理の設定を決定し、その決定した設定に変更する設定変更部とを備えるＨＤＭＩ機器（１００）。【選択図】図１
2010193247.tif 000002
【特許請求の範囲】
【請求項１】
接続相手機器とＨＤＭＩ接続され、前記接続相手機器とともにＡＶシステムを構成するＨＤＭＩ機器であって、
前記ＨＤＭＩ機器の出力画像及び出力音声の画質及び音質に関連する信号処理の性能特性に関する情報を記憶する記憶部と、
前記接続相手機器の出力画像及び出力音声の画質及び音質に関連する信号処理の性能特性に関する情報をＣＥＣコマンド受信により前記接続相手機器から取得する情報取得部と、
前記記憶部が記憶している前記ＨＤＭＩ機器の出力画像及び出力音声の画質及び音質に関連する信号処理の性能特性に関する情報と、前記情報取得部が取得した前記接続相手機器の出力画像及び出力音声の画質及び音質に関連する信号処理の性能特性に関する情報とに基づいて、前記ＨＤＭＩ機器の出力画像及び出力音声の画質及び音質に関連する信号処理の設定を決定し、その決定した設定に変更する設定変更部とを備えることを特徴とするＨＤＭＩ機器。
【請求項２】
前記情報取得部が、前記接続相手機器の出力画像及び出力音声の画質及び音質に関連する信号処理の性能特性に関する情報をＣＥＣコマンド送信により前記接続相手機器に要求することを特徴とする請求項１に記載のＨＤＭＩ機器。
【請求項３】
前記設定変更部が、前記記憶部が記憶している前記ＨＤＭＩ機器の出力画像及び出力音声の画質及び音質に関連する信号処理の性能特性に関する情報と、前記情報取得部が取得した前記接続相手機器の出力画像及び出力音声の画質及び音質に関連する信号処理の性能特性に関する情報とに基づいて、前記接続相手機器の出力画像及び出力音声の画質及び音質に関連する信号処理の設定も決定し、
前記設定変更部によって決定された前記接続相手機器の出力画像及び出力音声の画質及び音質に関連する信号処理の設定をＣＥＣコマンド送信により前記接続相手機器に通知する設定通知部を備えることを特徴とする請求項１又は請求項２に記載のＨＤＭＩ機器。
【発明の詳細な説明】
【技術分野】
【０００１】
本発明は、ＨＤＭＩ（High-Definition Multimedia Interface）規格に準拠した電子機器であるＨＤＭＩ機器に関する。
【背景技術】
【０００２】
ＨＤＭＩは、デジタルＡＶ機器向けのデジタルインタフェースで、映像や音声のデータを１本のケーブルで高速転送することができる。近年の薄型ＴＶやＤＶＤレコーダなどのデジタルＡＶ機器は、ＨＤＭＩ端子を標準搭載する機器が増加している。
【０００３】
ＨＤＭＩ端子を有するデジタルＡＶ機器間の接続に用いられるＨＤＭＩケーブルは、以下の第１〜第５の信号線を有している。
【０００４】
第１の信号線は、音声・映像データ（以下、ＡＶデータという）とインフォフレーム（ＡＶデータのフォーマットなどの情報）をＴＭＤＳ（Transition Minimized Differential Signaling）形式でソース機器からシンク機器へ片方向で伝送するＴＭＤＳデータ信号線である。
【０００５】
第２の信号線は、主に、ソース機器からシンク機器へのＡＶデータの送出開始タイミングを指示するために使用されるＨＰＤ（Hot Plug Detect）信号線である。
【０００６】
第３の信号線は、シンク機器の固有情報（ベンダ名、型番、許容解像度、ＨＤＭＩの端子番号など）をソース機器に伝送するために使用されるＤＤＣ（Display Data Channel）信号線である。また、ＤＤＣ信号線はＨＤＣＰ（High-bandwidth Digital Content Protection）認証にも使用される。ＤＤＣ信号線は、ＨＤＭＩケーブルがシンク機器のＨＤＭＩ端子に接続されているときに、シンク機器内のＮＶＲＡＭ（Non Volatile RAM）に接続されることになる。
【０００７】
第４の信号線は、ソース機器からシンク機器に５Ｖ電源を供給するためのＤＤＣ５Ｖ信号線である。尚、シンク機器は、ソース機器からの５Ｖ電源が第４の信号線によって供給されてから、ＨＤＭＩ端子のＨＰＤピンに５ＶのＨＰＤ信号を出力するハード構成となっている。
【０００８】
第５の信号線は、ＣＥＣ（Consumer Electronics Control）機能を実現するために使用されるＣＥＣ信号線である。
【０００９】
ＣＥＣ機能とは、ソース機器とシンク機器との間の双方向制御を可能とする機能であり、ＡＶデータ出力の規格と共にＨＤＭＩ規格に規定されている。ＣＥＣ機能に対応する電子機器も既に多数販売されている。ＣＥＣ機能は、ソース機器とシンク機器との間で双方向でのコマンドのやりとりが可能であるため、１対１の機器制御、１対複数の機器制御のいずれも可能である。
【００１０】
ＣＥＣ規格には、いろいろな機能が規定されている。例えば、Ｏｎｅ  Ｔｏｕｃｈ  Ｐｌａｙ機能は、ソース機器（例えばＤＶＤレコーダ）のＰｌａｙボタンを押すと、シンク機器（例えばデジタルテレビ）が、省電力待機状態を維持するスタンバイモードから通常動作状態を維持する電源ＯＮモードに自動で移行し、ＨＤＭＩケーブルによってソース機器に接続されているＨＤＭＩ端子を“入力”として選択するという動作を行うものである。ＣＥＣ規格には、他にも数多く機能が定義されているが、どの機能を製品で実現するかは、メーカーに委ねられている。
【先行技術文献】
【特許文献】
【００１１】
【特許文献１】特開２００８−２８８２９号公報
【発明の概要】
【発明が解決しようとする課題】
【００１２】
ところで、ＨＤＭＩ機器であるソース機器及びシンク機器はそれぞれ、通常、出力画像及び出力音声の画質及び音質に関連する信号処理の設定を変更することができる構成である。そして、出力画像及び出力音声の画質及び音質に関連する信号処理の設定をユーザが容易に変更することができるように、ＨＤＭＩ機器であるソース機器及びシンク機器の中には、出力画像及び出力音声の画質及び音質に関連する信号処理の設定変更用メニュー画面を表示するための映像信号を出力したり、当該メニュー画面の表示を行ったりするものがある。
【００１３】
しかしながら、ＨＤＭＩ機器であるソース機器及びシンク機器をＨＤＭＩケーブルで接続したＡＶシステムでは、システム全体の出力画像及び出力音声の画質及び音質を上手く向上させることはユーザにとって容易ではない。
【００１４】
例えば、上記ＡＶシステムでは、ソース機器及びシンク機器の双方において同様の信号処理（映像データに対するノイズリダクション処理、映像データに対するガンマ補正処理、音声データに対するフィルタリング処理など）を行っている場合が多く、ソース機器のみにおいて上記信号処理を有効にするか、シンク機器のみにおいて上記信号処理を有効にするか、ソース機器及びシンク機器の双方において上記信号処理を有効にするかのいずれを選択するかによって、上記ＡＶシステム全体の画質及び音質が変わってくる。しかし、どの選択をすれば、上記ＡＶシステム全体の出力画像及び出力音声の画質及び音質が向上するかを把握することは困難である。
【００１５】
なぜなら、ＨＤＭＩ機器において、出力画像及び出力音声の画質及び音質に関連する信号処理の性能特性は、機器の種類（例えば、デジタルテレビ、デジタルビデオカメラ、ＤＶＤレコーダのいずれであるか）によって異なっており、また、同じ種類の機器であってもグレード（例えば上級グレード、廉価グレードのいずれであるか）によって異なっており、ユーザが、ソース機器及びシンク機器の出力画像及び出力音声の画質及び音質に関連する信号処理の性能特性をきちんと把握していることは稀であるからである。
【００１６】
また、一般的には、高価なＨＤＭＩ機器ほど、出力画像及び出力音声の画質及び音質に関連する信号処理の性能が高くなるが、当該信号処理の各性能の全てが一律に高くなるというものではないため、単純に高価なＨＤＭＩ機器を優先すれば良いというものでもない。
【００１７】
ここで、ＨＤＭＩ機器であるデジタルビデオカメラ及びデジタルテレビをＨＤＭＩケーブルで接続したＡＶシステムにおいて、システム全体の出力画像の画質や出力音声の音質が悪くなる例について説明する。
【００１８】
例えば、デジタルビデオカメラがＭＰＥＧ又はＪＰＥＧ形式の映像データをＳＤカードなどの記録メディアに保存している場合、再生時にデジタルテレビに映像データを送信する前処理として映像データにノイズリダクション処理を施すことが多い。また、デジタルテレビにおいても、ＭＰＥＧ又はＪＰＥＧ形式の映像データのノイズを低減するためのノイズリダクション処理機能を備えている。ところが、ＡＶシステムのデジタルビデオカメラ、デジタルテレビ双方のノイズリダクション処理を有効にすると、ノイズリダクション処理の重畳により映像の解像度感が低下してしまうことがある。また、ガンマ補正処理やコントラスト補正処理についても、ＡＶシステムのデジタルビデオカメラ、デジタルテレビ双方の設定いかんによっては、ＡＶシステム全体の出力画像の画質が悪くなる場合がある。
【００１９】
また、例えば、デジタルビデオカメラでの保存形式がＳＤ画質の場合、デジタルビデオカメラでスケーリングして高解像度のフォーマットに変換してデジタルテレビへ転送することも可能となっている。デジタルテレビの方がデジタルビデオカメラよりもスケーリング性能が良い場合には、デジタルテレビでスケーリングした方が良いが、反対にデジタルビデオカメラの方がデジタルテレビよりもスケーリング性能が良い場合（例えばデジタルテレビが小型テレビである場合など）には、デジタルテレビでスケーリングすると、デジタルビデオカメラでスケーリングするよりもＡＶシステム全体の出力画像の画質が悪くなる。
【００２０】
また、シャープネス処理は低解像度の状態で行うことも可能であるが、スケーリングした後にシャープネス処理が施されるように設定しないと、ＡＶシステム全体の出力画像の画質が悪くなる。
【００２１】
また、音声データに関しては、例えば、デジタルテレビが高機能な音声処理を行う専用チップを実装している場合、デジタルビデオカメラでの音声処理を有効にすると、デジタルテレビの音声処理の妨げとなることがある。
【００２２】
なお、特許文献１には、第１の機器から第２の機器に対して、例えばＨＤＭＩケーブルを介して、放送の視聴に必要なデータを送る放送視聴システムが提案されているが、当該システム全体の出力画像及び出力音声の画質及び音質の向上を図ることができるものではない。
【００２３】
本発明は、上記の状況に鑑み、ＨＤＭＩ接続される外部機器とともにＡＶシステムを構成するＨＤＭＩ機器であって、ＡＶシステム全体の出力画像及び出力音声の画質及び音質の向上を図ることができるＨＤＭＩ機器を提供することを目的とする。
【課題を解決するための手段】
【００２４】
上記目的を達成するために本発明に係るＨＤＭＩ機器は、接続相手機器とＨＤＭＩ接続され、前記接続相手機器とともにＡＶシステムを構成するＨＤＭＩ機器であって、前記ＨＤＭＩ機器の出力画像及び出力音声の画質及び音質に関連する信号処理の性能特性に関する情報を記憶する記憶部と、前記接続相手機器の出力画像及び出力音声の画質及び音質に関連する信号処理の性能特性に関する情報をＣＥＣコマンド受信により前記接続相手機器から取得する情報取得部と、前記記憶部が記憶している前記ＨＤＭＩ機器の出力画像及び出力音声の画質及び音質に関連する信号処理の性能特性に関する情報と、前記情報取得部が取得した前記接続相手機器の出力画像及び出力音声の画質及び音質に関連する信号処理の性能特性に関する情報とに基づいて、前記ＨＤＭＩ機器の出力画像及び出力音声の画質及び音質に関連する信号処理の設定を決定し、その決定した設定に変更する設定変更部とを備える構成とする。
【００２５】
このような構成によると、接続相手機器が同様の構成のＨＤＭＩ機器であれば、双方の機器において、自己の出力画像及び出力音声の画質及び音質に関連する信号処理の性能特性に関する情報と、接続相手機器の出力画像及び出力音声の画質及び音質に関連する信号処理の性能特性に関する情報とに基づいて、自己の出力画像及び出力音声の画質及び音質に関連する信号処理の設定が決定・変更されるので、ＡＶシステム全体の出力画像及び出力音声の画質及び音質の向上を図ることができる。
【００２６】
また、前記情報取得部が、前記接続相手機器の出力画像及び出力音声の画質及び音質に関連する信号処理の性能特性に関する情報をＣＥＣコマンド送信により前記接続相手機器に要求するようにしてもよい。
【００２７】
また、前記設定変更部が、前記記憶部が記憶している前記ＨＤＭＩ機器の出力画像及び出力音声の画質及び音質に関連する信号処理の性能特性に関する情報と、前記情報取得部が取得した前記接続相手機器の出力画像及び出力音声の画質及び音質に関連する信号処理の性能特性に関する情報とに基づいて、前記接続相手機器の出力画像及び出力音声の画質及び音質に関連する信号処理の設定も決定し、前記設定変更部によって決定された前記接続相手機器の出力画像及び出力音声の画質及び音質に関連する信号処理の設定をＣＥＣコマンド送信により前記接続相手機器に通知する設定通知部を備えるようにしてもよい。このような構成によると、接続相手機器が設定通知部からの通知に従って設定を変更する構成のＨＤＭＩ機器であれば、ＡＶシステム全体の出力画像及び出力音声の画質及び音質の向上を図ることができる。
【発明の効果】
【００２８】
本発明によると、ＨＤＭＩ接続される外部機器とともにＡＶシステムを構成するＨＤＭＩ機器であって、ＡＶシステム全体の出力画像及び出力音声の画質及び音質の向上を図ることができるＨＤＭＩ機器を実現することができる。
【図面の簡単な説明】
【００２９】
【図１】は、ソース機器とシンク機器とのＨＤＭＩ接続例を示す図である。
【図２】は、デジタルテレビの概略構成例を示す図である。
【図３】は、デジタルビデオカメラの概略構成例を示す図である。
【図４】は、出力画像及び出力音声の画質及び音質に関連する信号処理の設定を変更する手順の例を示す図である。
【発明を実施するための形態】
【００３０】
本発明の実施形態について図面を参照して以下に説明する。ソース機器とシンク機器とのＨＤＭＩ接続例を図１に示す。デジタルテレビ１００がシンク機器であり、デジタルビデオカメラ２００がソース機器である。デジタルテレビ１００、デジタルビデオカメラ２００はそれぞれ本発明に係るＨＤＭＩ機器の例である。
【００３１】
デジタルテレビ１００は、電源クレードル３００を介して、デジタルビデオカメラ２００とＨＤＭＩケーブル４００で接続されている。ＨＤＭＩケーブル４００の一端は、デジタルテレビ１００に設けられているＨＤＭＩ端子に接続される。また、ＨＤＭＩケーブル４００の他端は、電源クレードル３００に設けられているＨＤＭＩ端子に接続される。そして、デジタルビデオカメラ２００が電源クレードル３００に載置されると、デジタルビデオカメラ２００のコネクタと電源クレードル３００のコネクタが接続され、デジタルテレビ１００のＨＤＭＩ入力部３（図２参照）とデジタルビデオカメラ２００のＨＤＭＩ出力部３７（図３参照）とがＨＤＭＩケーブル４００及び電源クレードル３００を介して接続される。
【００３２】
次に、デジタルテレビ１００の概略構成例を図２に示す。デジタルテレビ１００は、チューナ２と、ＨＤＭＩ入力部３と、ＡＶ入力部４と、ＤＥＭＵＸ（デマルチプレクサ）５と、ＡＶデコーダ６と、リモコン受光部８と、スイッチ９と、映像処理部１０と、ＯＳＤ／スケーラ１１と、映像出力部１２と、音声処理部１３と、音声出力部１４と、スピーカ１５と、第１のＣＰＵ（Central Processing Unit）１６と、第２のＣＰＵ１７と、メモリ１８と、表示部１９と、ホットプラグ制御部２０とを備える。
【００３３】
アンテナ１は、屋外に配置されており、デジタル放送波を受信し、高周波デジタル変調信号をチューナ２に出力する。
【００３４】
チューナ２は、第１のＣＰＵ１６からのチャンネル選択信号によって物理チャンネルを選択する。チューナ２は、このチャンネル選択プロセスによって、高周波デジタル変調信号を特定周波数の信号に変換する。また、チューナ２は、選択されたデジタル変調信号を復調してトランスポートストリームを生成し、その生成したトランスポートストリームをＤＥＭＵＸ５に出力する。
【００３５】
ＤＥＭＵＸ５は、チューナ２から受け取ったトランスポートストリームを、ＭＰＥＧ−２（Moving Picture Experts Group-2）のビデオストリーム、オーディオストリーム、およびＰＳＩ／ＳＩ（Program Specific Information／Service Information）等に分離する。
【００３６】
ＡＶデコーダ６はビデオストリームに対してデコードを行うビデオデコーダ（不図示）と、オーディオストリームに対してデコードを行うオーディオデコーダ（不図示）とを備え、デコード後の映像音声情報をスイッチ９に出力する。
【００３７】
ＨＤＭＩ入力部３は、３つのＨＤＭＩ端子（不図示）を有しており、各ＨＤＭＩ端子にＨＤＭＩケーブルが接続可能である。外部機器からＨＤＭＩケーブルのＴＭＤＳデータ信号線を介してＨＤＭＩ入力部３に入力された映像音声情報は、スイッチ９に入力される。また、３つのＨＤＭＩ端子のＣＥＣピンは直結されて第１のＣＰＵ１６に接続されているため、外部機器（ソース機器）からＨＤＭＩケーブルのＣＥＣ信号線を介してＨＤＭＩ入力部３に入力されたＣＥＣコマンドは、第１のＣＰＵ１６に入力される。また、第１のＣＰＵ１６からＨＤＭＩ入力部３へ出力されたＣＥＣコマンドは、ＨＤＭＩケーブルのＣＥＣ信号線を介して外部機器（ソース機器）に入力される。また、外部機器（ソース機器）からＨＤＭＩケーブルのＤＤＣ５Ｖ信号線、ＨＤＭＩ入力部３を介して５Ｖ電源がホットプラグ制御部２０に供給される。ＮＶＲＡＭ（不図示）がＨＤＭＩ端子毎に個別に設けられ、その個別に設けられたＮＶＲＡＭのうち、ＨＤＭＩケーブルが接続されているＨＤＭＩ端子に対応するＮＶＲＡＭにのみ、外部機器（ソース機器）からＨＤＭＩケーブルのＤＤＣ５Ｖ信号線、ＨＤＭＩ入力部３を介して５Ｖ電源が供給される。ホットプラグ制御部２０は、ＨＤＭＩ入力部３にＬｏｗレベル又はＨｉｇｈレベルの制御信号を出力することでソース機器からシンク機器へのＡＶデータの送出開始タイミングを指示する。
【００３８】
また、ＡＶ入力部４は図示しないＳ端子、Ｄ端子、ＲＣＡ端子を有し、外部機器からＳ端子ケーブルまたはＤ端子ケーブル及びＲＣＡ端子を介してＡＶ入力部４に入力された映像音声情報はスイッチ９へ出力される。
【００３９】
スイッチ９は、ＡＶデコーダ６、ＨＤＭＩ入力部３、ＡＶ入力部４の各映像音声入力を切り替えるスイッチである。映像処理部１０は、スイッチ９を介して入力される映像情報に対してデジタル映像処理を行う。ＯＳＤ／スケーラ１１は、第２のＣＰＵ１７から指示された文字情報や色情報に基づく映像データを生成したり、放送受信映像の縮小処理を行う回路である。このＯＳＤ／スケーラ１１により、番組情報に基づくＥＰＧ（Electronic Program Guide）表示、データ放送表示、メニュー画面表示などが行える。映像出力部１２は、ＯＤＳ／スケーラ１１から入力される映像情報を表示部１９の入力信号形式に変換する。そして、表示部１９は、映像出力部１２から入力される映像信号に基づき映像を表示する。
【００４０】
音声処理部１３は、スイッチ９を介して音声情報を受け取り、Ｄ／Ａ変換によるアナログ音声信号を音声出力部１４に出力する。音声出力部１４は、音声処理部１３から入力された音声信号を増幅等しスピーカ１５に出力する。そして、スピーカ１５は、音声出力部１４から入力された音声信号に基づき音声を発する。
【００４１】
リモコン送信機７は、デジタルテレビ１００に指令を送出するための送信機である。このリモコン送信機７に設けられたキーが操作されると、そのキーに対応したリモコン信号がリモコン送信機７の発光部から送出される。リモコン受光部８は、リモコン信号を受光し、これを電気信号に変換して第１のＣＰＵ１６に与える。
【００４２】
第１のＣＰＵ１６は、リモコン送信機７からのリモコン信号や図示しない操作部のキー操作による信号に対する処理、チューナ２などに対する制御を主に行う。そして、第１のＣＰＵ１６は、リモコン送信機７による電源ＯＦＦ（パワーセーブモードへの移行）が行われたときでも、電力供給を受けて動作しており、リモコン信号を監視する等の処理を行う。一方、第２のＣＰＵ１７は、ＯＳＤ／スケーラ１１、映像処理部１０、表示部１９などに対する制御を主に行う。第１のＣＰＵ１６と第２のＣＰＵ１７とは、相互に通信ができる仕様となっており、第１のＣＰＵ１６の制御により、第２のＣＰＵ１７や映像・音声処理部２１の各ブロックを停止／起動することが可能となっている。
【００４３】
メモリ１８は、不揮発性メモリであって、制御プログラムや各種データを格納している。出力画像及び出力音声の画質及び音質に関連する信号処理の性能特性に関する情報並びに出力画像及び出力音声の画質及び音質に関連する信号処理の設定もメモリ１８に格納されている。映像処理部１０やＯＳＤ／スケーラ１１は、メモリ１８に格納されている出力画像の画質に関連する信号処理の設定に基づいて、映像信号の処理を実行し、音声処理部１３や音声出力部１４は、メモリ１８に格納されている出力音声の音質に関連する信号処理の設定に基づいて、音声信号の処理を実行する。
【００４４】
次に、デジタルビデオカメラ２００の概略構成例を図３に示す。デジタルビデオカメラ２００は、レンズ３１と、ＣＣＤ（Charge Coupled Device）またはＣＭＯＳ（Complimentary Metal Oxide Semiconductor）センサなどの撮像素子３２と、Ａ／Ｄ変換部３３と、信号処理部３４と、ＣＰＵ３５と、ＣＥＣ用ＣＰＵ３６と、ＨＤＭＩ出力部３７と、ＮＴＳＣ（National Television System Committee）エンコーダ３８と、フラッシュメモリ３９と、制御部４０と、信号処理部４１と、ＯＳＤ部４２と、ＬＣＤ（Liquid Crystal Display）インタフェース４３と、ＬＣＤ４４と、ＳＤＲＡＭ（Synchronous Dynamic Random Access Memory）４５と、ＪＰＥＧ（Joint Photographic Experts Group）コーディック部４６と、ＭＰＥＧ−４コーディック部４７と、ＵＳＢ（Universal Serial Bus）インタフェース４８と、カードインタフェース４９と、ＳＤＲＡＭ５０と、オーディオコーディック部５１とを備える。信号処理部３４、ＣＰＵ３５、フラッシュメモリ３９、制御部４０、信号処理部４１、ＳＤＲＡＭ４５、ＪＰＥＧコーディック部４６、ＭＰＥＧ−４コーディック部４７、ＵＳＢインタフェース４８、及びカードインタフェース４９はそれぞれバスに接続されている。
【００４５】
デジタルビデオカメラ２００は、レンズ３１から入射される光を撮像素子３２によって光電変換することによって、電気信号である映像データを取得する。撮像素子３２で取得された映像データは、Ａ／Ｄ変換部３３によってアナログ信号からデジタル信号へと変換されたのち、信号処理部３４に送られる。信号処理部３４は、Ａ／Ｄ変換部３３から受け取った映像データに対して、YCbCrフォーマットへの変換、ホワイトバランス調整、レベル調整などの各種信号処理を施す。撮像素子３２とＡ／Ｄ変換部３３とは制御部４０により制御される。但し、デジタルビデオカメラ２００の全体的な制御はＣＰＵ３５が行っており、制御部４０もＣＰＵ３５からの指令により制御の開始と停止を行う。
【００４６】
信号処理部３４から出力される映像データは、動画撮影時の場合、ＭＰＥＧ−４コーディック部４７に転送され、ＭＰＥＧ−４フォーマット形式に圧縮変換された後、カードインタフェース４９を経由してＳＤカードに書き込まれ、静止画撮影時の場合、ＪＰＥＧコーディック部４６に転送され、圧縮変換された後、カードインタフェース４９を経由してＳＤカードに書き込まれる。
【００４７】
画像再生時においては、カードインタフェース４９がＳＤカードから映像データを読み出す。その読み出された映像データは、動画データである場合ＭＰＥＧ−４コーディック部４７によって復号処理され、静止画データである場合ＪＰＥＧコーディック部４６によって復号処理され、その後、信号処理部４１によってスケーリング、画質調整、ノイズ除去などの各種信号処理が施され、ＯＳＤ部４２によってメニュー画面表示用の文字情報などが任意に付加され、ＬＣＤインタフェース４３を経由してＬＣＤ４４に出力される。また、ＯＳＤ部４２から出力される映像データは、ＮＴＳＣエンコーダ３８によってＮＴＳＣ信号となり、Ｓ端子やＲＣＡ端子などの外部出力端子を経由して外部機器に外部出力される。また、ＯＳＤ部４２から出力される映像データは、ＨＤＭＩ出力部３７によってＴＭＤＳ形式の信号となり、ＨＤＭＩ端子を経由してシンク機器（本実施形態ではデジタルテレビ１００）に外部出力される。
【００４８】
ＣＥＣ用ＣＰＵ３６は、ＣＰＵ３５の制御に従って、ＣＥＣ通信処理を行う。ＣＥＣ用ＣＰＵ３６によって生成されたＣＥＣコマンドは、ＨＤＭＩ端子を経由してシンク機器（本実施形態ではデジタルテレビ１００）に外部出力される。また、シンク機器（本実施形態ではデジタルテレビ１００）から送信されたＣＥＣコマンドは、ＨＤＭＩ端子を経由してＣＥＣ用ＣＰＵ３６に入力され、ＣＥＣ用ＣＰＵ３６によって処理される。
【００４９】
また、デジタルビデオカメラ２００においては、マイクアンプやＡＬＣ（Auto Level Control）を内蔵したオーディオコーディック部５１が、内蔵マイクや外付けマイクから送られている音声信号に対して、Ａ／Ｄ変換処理、増幅処理、レベル調整処理、指向性処理などの各種信号処理を施す。オーディオコーディック部５１から出力される音声データは、ＭＰＥＧ−４コーディック部４７によってＡＡＣ（Advanced Audio Coding）フォーマット形式に圧縮変換された後、カードインタフェース４９を経由してＳＤカードに書き込まれる。
【００５０】
音声再生時においては、カードインタフェース４９がＳＤカードから音声データを読み出す。その読み出された音声データは、ＭＰＥＧ−４コーディック部４７によって復号処理され、スピーカアンプを内蔵したオーディオコーディック部５１によってＤ／Ａ変換されたのち、内蔵スピーカや外付けスピーカに出力される。また、オーディオコーディック部５１は、復号された音声データをＨＤＭＩ出力部３７へ出力する。
【００５１】
デジタルビデオカメラ２００は、制御プログラムや各種データを格納している不揮発性メモリ（不図示）も備えている。出力画像及び出力音声の画質及び音質に関連する信号処理の性能特性に関する情報並びに出力画像及び出力音声の画質及び音質に関連する信号処理の設定も前記不揮発性メモリに格納されている。信号処理部４１やＯＳＤ部４２は、前記不揮発性メモリに格納されている出力画像の画質に関連する信号処理の設定に基づいて、映像信号の処理を実行し、オーディオコーディック部５１は、前記不揮発性メモリに格納されている出力音声の音質に関連する信号処理の設定に基づいて、音声信号の処理を実行する。
【００５２】
次に、デジタルテレビ１００及びデジタルビデオカメラ２００の双方において、出力画像及び出力音声の画質及び音質に関連する信号処理の設定を変更する例について図４を参照して以下に説明する。
【００５３】
ＨＤＭＩインタフェースを利用してデジタルテレビ１００とデジタルビデオカメラ２００とでＡＶシステムを構築する場合、まず、デジタルビデオカメラ２００を電源クレードル３００に載置し、ＨＤＭＩケーブル４００の一端をデジタルテレビ１００に設けられているＨＤＭＩ端子に接続し、ＨＤＭＩケーブル４００の他端を電源クレードル３００に設けられているＨＤＭＩ端子に接続する。これにより、デジタルテレビ１００とデジタルビデオカメラ２００とがＨＤＭＩ接続される。
【００５４】
続いて、デジタルビデオカメラ２００とデジタルテレビ１００との間で、ＣＥＣ接続確立のためのやり取りが行われる。ＣＥＣ接続確立のためのやり取りとしては、ＨＰＤやＨＤＣＰの認証などがある。但し、ＨＤＣＰの認証はソース機器の種類によって行われないこともある。
【００５５】
その後、デジタルテレビ１００は、デジタルビデオカメラ２００に対して、デジタルビデオカメラ２００の出力画像及び出力音声の画質及び音質に関連する信号処理の性能特性情報を要求する取得要求信号Ｓ１を送信する。取得要求信号Ｓ１は、ベンダーが独自に定義したＣＥＣコマンド（ベンダーコマンド）であって、例えば、以下の表１のようなフォーマットにすればよい。
【００５６】
【表１】
2010193247.tif 000003
【００５７】
１バイト目のAddressは、デジタルテレビ１００（論理Address０）からデジタルビデオカメラ２００（論理Address４）への通信であることを示している。通信方向によりAddressは変化する。デジタルビデオカメラ２００（論理Address４）からデジタルテレビ１００（論理Address０）への通信である場合には、例えば、後述する表２のように１バイト目のAddressを0x40にすればよい。２バイト目のOP_Codeは、コマンドがベンダーの独自コードであることを示している。３バイト目は、コマンドが接続相手機器への機能問い合わせ（接続相手機器の出力画像及び出力音声の画質及び音質に関連する信号処理の性能特性の取得要求）であることを示している。
【００５８】
デジタルビデオカメラ２００は、取得要求信号Ｓ１に対応して、デジタルビデオカメラ２００の出力画像及び出力音声の画質及び音質に関連する信号処理の性能特性情報を通知する通知信号Ｓ２を、デジタルテレビ１００に送信する。通知信号Ｓ２は、ベンダーが独自に定義したＣＥＣコマンド（ベンダーコマンド）であって、例えば、以下の表２のようなフォーマットにすればよい。
【００５９】
【表２】
2010193247.tif 000004
【００６０】
１バイト目のAddressは、デジタルビデオカメラ２００（論理Address４）からデジタルテレビ１００（論理Address０）への通信であることを示している。２バイト目のOP_Codeは、コマンドがベンダーの独自コードであることを示している。３バイト目は、機能通知（自己の出力画像及び出力音声の画質及び音質に関連する信号処理の性能特性通知）であることを示している。４バイト目は、映像、音声の信号処理分類の送信数を示している。５バイト目以降は、２バイト単位で機能番号（映像、音声の信号処理分類）とその機能番号における性能特性を表す数値とを示している。
【００６１】
なお、映像、音声の信号処理分類の例は以下の通りである。映像の信号処理であれば、バックライトの明るさ（液晶モニタの場合）、コントラスト、ブライトネス、色の濃さ、シャープネス、ノイズリダクション、色温度、肌色補正、シネマオート、ダイナミックＡＩ（ダイナミック・オート・イメージ・コントロール）、ガンマ補正、出力解像度などに分類することができる。また、音声の信号処理であれば、高音、低音、３Ｄサラウンド、ＦＯＵＣＵＳ、ウーハーレベルなどに分類することができる。
【００６２】
デジタルビデオカメラ２００は、通知信号Ｓ２の送信後、デジタルテレビ１００に対して、デジタルテレビ１００の出力画像及び出力音声の画質及び音質に関連する信号処理の性能特性情報を要求する取得要求信号Ｓ３を送信する。取得要求信号Ｓ３は、ベンダーが独自に定義したＣＥＣコマンド（ベンダーコマンド）であって、取得要求信号Ｓ１と同様のフォーマットにすればよい。
【００６３】
デジタルテレビ１００は、取得要求信号Ｓ３に対応して、デジタルテレビ１００の出力画像及び出力音声の画質及び音質に関連する信号処理の性能特性情報を通知する通知信号Ｓ４を、デジタルビデオカメラ２００に送信する。通知信号Ｓ４は、ベンダーが独自に定義したＣＥＣコマンド（ベンダーコマンド）であって、通知信号Ｓ２と同様のフォーマットにすればよい。
【００６４】
デジタルテレビ１００は、メモリ１８に格納されている自己の出力画像及び出力音声の画質及び音質に関連する信号処理の性能特性に関する情報とデジタルビデオカメラ２００から送られてきた通知信号Ｓ２とに基づいて、自己の出力画像及び出力音声の画質及び音質に関連する信号処理の設定を決定し、その決定した設定に変更する。また、デジタルビデオカメラ２００は、内部の不揮発性メモリに格納されている自己の出力画像及び出力音声の画質及び音質に関連する信号処理の性能特性に関する情報とデジタルテレビ１００から送られてきた通知信号Ｓ４とに基づいて、自己の出力画像及び出力音声の画質及び音質に関連する信号処理の設定を決定し、その決定した設定に変更する。映像、音声の信号処理の種類により上記の決定方法は異なるが、例えば、ノイズフィルタによる信号処理の場合は、デジタルテレビ１００のノイズフィルタとデジタルビデオカメラ２００のノイズフィルタのうち性能の良い方のみが有効になるように、デジタルテレビ１００、デジタルビデオカメラ２００がそれぞれ自己の出力画像及び出力音声の画質及び音質に関連する信号処理の設定を決定すればよい。
【００６５】
なお、上記の方法で決定した設定をメモリに一時的に記憶しておいてＨＤＭＩ接続が解除されると元の設定に戻すようにするか、又は、上記の方法で決定した設定をメモリに不揮発的に記憶しておいてＨＤＭＩ接続が解除されると元の設定に戻しそれ以後対象機器がＨＤＭＩ接続されている場合のみ上記の方法で決定した設定をメモリから読み出してその読み出した設定に変更するようにすることが望ましい。
【００６６】
また、図４に示す手順の説明は、デジタルテレビ１００とデジタルビデオカメラ２００の双方が、上述した取得要求信号及び通知信号の送受信に対応している場合である。一方、例えば、デジタルテレビ１００は上述した取得要求信号及び通知信号の送受信に対応しているがデジタルビデオカメラ２００は上述した取得要求信号及び通知信号の送受信に対応していない場合、デジタルテレビ１００は、取得要求信号Ｓ１を送信したにもかかわらずデジタルビデオカメラ２００から通知信号Ｓ２が送られてこないことにより、デジタルビデオカメラ２００が上述した取得要求信号及び通知信号の送受信に対応していないことを認識することができる。
【００６７】
また、図４に示す手順の説明では、デジタルテレビ１００とデジタルビデオカメラ２００の双方がそれぞれ、送られてきた通知信号を基に、自己の出力画像及び出力音声の画質及び音質に関連する信号処理の設定を決定していたが、デジタルテレビ１００とデジタルビデオカメラ２００の片方のみが、送られてきた通知信号を基に、自己の出力画像及び出力音声の画質及び音質に関連する信号処理の設定を決定するようにしてもよい。例えば、デジタルテレビ１００とデジタルビデオカメラ２００の片方のみが、送られてきた通知信号を基に、自己の出力画像及び出力音声の画質及び音質に関連する信号処理の設定を決定するようにする場合、取得要求信号Ｓ３及び通知信号Ｓ４の送受信を行わないようにし、デジタルテレビ１００が、メモリ１８に格納されている自己の出力画像及び出力音声の画質及び音質に関連する信号処理の性能特性に関する情報と通知信号Ｓ２とに基づいて、自己の出力画像及び出力音声の画質及び音質に関連する信号処理の設定及び接続相手機器（デジタルビデオカメラ２００）の出力画像及び出力音声の画質及び音質に関連する信号処理の設定を決定し、決定した接続相手機器（デジタルビデオカメラ２００）の出力画像及び出力音声の画質及び音質に関連する信号処理の設定を、ベンダーが独自に定義したＣＥＣコマンド（ベンダーコマンド）で接続相手機器（デジタルビデオカメラ２００）に通知するようにすることができる。
【００６８】
以上、本発明に係る実施形態について説明したが、本発明の範囲はこれに限定されるものではなく、発明の主旨を逸脱しない範囲で種々の変更を加えて実行することができる。例えば、デジタルビデオカメラ２００にＨＤＭＩ端子を設け、デジタルテレビ１００とデジタルビデオカメラ２００とが電源クレードル３００を介さずにＨＤＭＩケーブル４００で接続されるようにしてもよい。
【符号の説明】
【００６９】
１００    デジタルテレビ
２００    デジタルビデオカメラ
３００    電源クレードル
４００    ＨＤＭＩケーブル
１    アンテナ
２    チューナ
３    ＨＤＭＩ入力部
４    ＡＶ入力部
５    ＤＥＭＵＸ（デマルチプレクサ）
６    ＡＶデコーダ
７    リモコン送信機
８    リモコン受光部
９    スイッチ
１０    映像処理部
１１    ＯＳＤ／スケーラ
１２    映像出力部
１３    音声処理部
１４    音声出力部
１５    スピーカ
１６    第１のＣＰＵ
１７    第２のＣＰＵ
１８    メモリ
１９    表示部
２０    ホットプラグ制御部
２１    映像・音声処理部
３１    レンズ
３２    撮像素子
３３    Ａ／Ｄ変換部
３４    信号処理部
３５    ＣＰＵ
３６    ＣＥＣ用ＣＰＵ
３７    ＨＤＭＩ出力部
３８    ＮＴＳＣエンコーダ
３９    フラッシュメモリ
４０    制御部
４１    信号処理部
４２    ＯＳＤ部
４３    ＬＣＤインタフェース
４４    ＬＣＤ
４５    ＳＤＲＡＭ
４６    ＪＰＥＧコーディック部
４７    ＭＰＥＧ−４コーディック部
４８    ＵＳＢインタフェース
４９    カードインタフェース
５０    ＳＤＲＡＭ
５１    オーディオコーディック部
【図１】
2010193247.tif 000005
【図２】
2010193247.tif 000006
【図３】
2010193247.tif 000007
【図４】
2010193247.tif 000008